【手続補正書】
【提出日】平成29年4月26日(2017.4.26)
【手続補正１】
【補正対象書類名】特許請求の範囲
【補正対象項目名】全文
【補正方法】変更
【補正の内容】
【特許請求の範囲】
【請求項１】
エンベロープ追跡増幅段において制御するための方法であって、
増幅器の出力信号の表現を決定することと、
前記増幅器の入力信号の表現を決定することと、
前記増幅器のターゲット特性に従って前記入力信号の決定された前記表現を調整することと、
調整された前記入力信号と、前記出力信号の決定された表現とを比較することと、
前記比較に依存して制御信号を生成することと、ここにおいて、前記制御信号は、エンベロープ信号に適用される成形関数を修正する、
を備える方法。
【請求項２】
前記ターゲット特性はＡＭ−ＡＭ特性であり、前記制御信号は振幅制御信号である、請求項１に記載の方法。
【請求項３】
修正するステップは、前記入力信号に依存して前記成形関数をインデックスすることと、前記比較の結果をインデックスされた前記成形関数に適用し、それによって、前記成形関数を修正することとを備える、請求項１又は請求項２に記載の方法。
【請求項４】
前記ターゲット特性はＰＭ−ＰＭ特性であり、前記制御信号は位相制御信号であり、ここで、前記制御信号は、前記増幅器に適用される前記入力信号の位相を修正する、請求項１乃至３のうちのいずれか一項に記載の方法。
【請求項５】
前記入力信号の前記表現を決定するために前記エンベロープ追跡増幅段への前記入力信号を測定することを更に備える、請求項１乃至４のうちのいずれか一項に記載の方法。
【請求項６】
前記入力信号を測定するステップは、前記入力信号を復調することを備える、請求項５に記載の方法。
【請求項７】
前記エンベロープ追跡増幅段の電力増幅器への前記入力信号を変調することと、前記入力信号の前記表現を決定するために、前記変調するステップの前に前記入力信号を測定することとを更に備える、及び／又は
前記入力信号の前記表現を決定するために、エンベロープ経路において前記エンベロープ信号に依存して前記入力信号を測定することを更に備える、及び／又は
前記出力信号の前記表現を決定するために、前記出力信号を復調することによって前記出力信号を測定することを更に備える、請求項１乃至６のうちのいずれか一項に記載の方法。
【請求項８】
エンベロープ経路及び入力信号経路を含み、エンベロープ追跡増幅段のターゲット特性に従って入力信号の表現を調整するためのターゲットブロックと、前記入力信号の調整された前記表現を出力信号の表現と比較し、制御信号を生成するための比較器とを含み、ここにおいて、前記制御信号は、エンベロープ信号に適用される成形関数を修正するように配列される、エンベロープ追跡増幅段。
【請求項９】
前記ターゲット特性はＡＭ−ＡＭ特性であり、前記制御信号は振幅制御信号であり、ここで、前記エンベロープ追跡増幅段は、エンベロープ経路に成形テーブルを更に含む、請求項８に記載のエンベロープ追跡増幅段。
【請求項１０】
前記成形テーブルは、前記比較で使用される測定された入力信号に依存して調整される、請求項９に記載のエンベロープ追跡増幅段。
【請求項１１】
前記成形テーブルは、測定された入力信号に対応する成形関数値を調整することによって調整され、ここで、前記調整は、その入力信号と、対応する出力信号との比較に対応する、請求項９又は１０に記載のエンベロープ追跡増幅段。
【請求項１２】
前記ターゲット特性はＰＭ−ＰＭ特性であり、前記制御信号は位相制御信号であり、ここで、前記エンベロープ追跡増幅段は、増幅器への入力経路において前記入力信号を修正するため、及び、前記制御信号を受け、前記増幅器に適用される前記入力信号の位相を修正するための素子を更に備える、請求項８乃至１１ののうちのいずれか一項に記載のエンベロープ追跡増幅段。
【請求項１３】
前記入力信号は、前記入力信号の前記表現を供給するために、前記エンベロープ追跡増幅段の増幅器への入力において測定される、請求項８乃至１２のうちのいずれか一項に記載のエンベロープ追跡増幅段。
【請求項１４】
前記入力信号の前記表現を提供するために、前記入力信号を測定するのに先立ち、前記増幅器への前記入力信号を復調するための復調器を更に備える、請求項１３に記載のエンベロープ追跡増幅段。
【請求項１５】
前記入力信号のための変調器を更に備え、ここで、前記入力信号は、前記入力信号の前記表現を提供するために、前記変調器への入力において測定される、請求項８乃至１４のうちのいずれか一項に記載のエンベロープ追跡増幅段。
【手続補正２】
【補正対象書類名】明細書
【補正対象項目名】０１００
【補正方法】変更
【補正の内容】
【０１００】
本発明は、本明細書において、特定の利点のある実施形態及び例示的な実装を参照して説明されている。本発明は、そのような実施形態及び実装の任意の態様の任意の詳細に限定されるわけではない。本発明の範囲は、添付の特許請求の範囲によって定義される。
以下に本願の出願当初の特許請求の範囲に記載された発明を付記する。
［Ｃ１］
エンベロープ追跡増幅段において制御するための方法であって、
前記増幅器の前記出力信号の表現を決定することと、
前記増幅器の前記入力信号の表現を決定することと、
前記増幅器のターゲット特性に従って前記入力信号の前記決定された表現を調整することと、
前記調整された入力と、前記出力の決定された表現とを比較することと、
前記比較に依存して制御信号を生成することと
を備える方法。
［Ｃ２］
前記ターゲット特性はＡＭ−ＡＭ特性であり、前記制御信号は振幅制御信号であり、ここで、前記制御信号は、前記エンベロープ信号に適用される成形関数を修正する、Ｃ１に記載の方法。
［Ｃ３］
修正する前記ステップは、前記入力信号に依存して前記成形関数をインデックスすることと、前記比較の前記結果を前記インデックスされた成形関数に適用し、それによって、前記成形関数を修正することとを備える、Ｃ１又はＣ２に記載の方法。
［Ｃ４］
前記ターゲット特性はＰＭ−ＰＭ特性であり、前記制御信号は位相制御信号であり、ここで、前記制御信号は、前記増幅器に適用される前記入力信号の前記位相を修正する、任意の先のＣに記載の方法。
［Ｃ５］
前記入力信号の前記表現を決定するために前記増幅段への入力において前記信号を測定することを更に備える、任意の先のＣに記載の方法。
［Ｃ６］
前記入力信号を測定する前記ステップは、前記入力信号を復調することを備える、Ｃ５に記載の方法。
［Ｃ７］
前記増幅段の電力増幅器への入力において前記信号を変調することと、前記入力信号の前記表現を決定するために、前記変調するステップの前に前記入力信号を測定することとを更に備える、任意の先のＣに記載の方法。
［Ｃ８］
前記入力信号の前記表現を決定するために、前記エンベロープ経路において前記エンベロープ信号に依存して前記入力信号を測定することを更に備える、任意の先のＣに記載の方法。
［Ｃ９］
前記出力信号の前記表現を決定するために、前記出力信号を復調することによって前記出力信号を測定することを更に備える、任意の先のＣに記載の方法。
［Ｃ１０］
エンベロープ経路及び入力信号経路を含み、ターゲット特性に従って入力信号の表現を調整するためのターゲットブロックと、前記入力信号の前記調整された表現を前記出力信号の表現と比較し、制御信号を生成するための比較器とを含む、エンベロープ追跡増幅段。
［Ｃ１１］
前記ターゲット特性はＡＭ−ＡＭ特性であり、前記制御信号は振幅制御信号であり、ここで、前記エンベロープ追跡増幅段は、エンベロープ経路に成形テーブルを更に含み、前記振幅制御信号は、前記エンベロープ信号に適用される成形関数を修正する、Ｃ１０に記載のエンベロープ追跡増幅段。
［Ｃ１２］
前記成形テーブルは、上記比較で使用される測定された入力信号に依存して調整される、Ｃ１１に記載のエンベロープ追跡増幅段。
［Ｃ１３］
前記成形テーブルは、測定された入力信号に対応する成形関数値を調整することによって調整され、ここで、前記調整は、その入力信号と、対応する出力信号との比較に対応する、Ｃ１２乃至１１に記載のエンベロープ追跡増幅段。
［Ｃ１４］
前記ターゲット特性はＰＭ−ＰＭ特性であり、前記制御信号は位相制御信号であり、ここで、前記エンベロープ追跡増幅段は、前記増幅器への前記入力経路において前記入力信号を修正するため、及び、前記制御信号を受け、前記増幅器に適用される前記入力信号の前記位相を修正するための素子を更に備える、Ｃ１０乃至１３のうちの何れか一項に記載のエンベロープ追跡増幅段。
［Ｃ１５］
前記入力信号は、前記入力信号の前記表現を供給するために、前記増幅段の増幅器への前記入力において測定される、Ｃ１０乃至１４のうちの何れか一項に記載のエンベロープ追跡増幅段。
［Ｃ１６］
前記入力信号の前記表現を供給するために、前記入力信号を測定するのに先立ち、前記増幅器への前記入力を復調するための復調器を更に備える、Ｃ１５に記載のエンベロープ追跡増幅段。
［Ｃ１７］
前記入力信号のための変調器を更に備え、ここで、前記入力信号は、前記入力信号の前記表現を供給するために、前記変調器への前記入力において測定される、Ｃ１０乃至１６のうちの何れか一項に記載のエンベロープ追跡増幅段。